(57)【要約】【課題】番組を視聴中に別のチャンネルでお勧め番組が開始されたときに自動的に２画面表示を行い、２画面表示された番組のうちユーザーが選択した番組を１画面で視聴可能な映像受信装置及び番組推薦方法を提供する。【解決手段】番組情報を蓄積する番組情報蓄積手段と、視聴中番組の番組情報を取得する視聴情報取得手段と、番組情報蓄積手段からの番組情報、視聴情報取得手段からの視聴中番組の番組情報及び所定のお勧め基準に基づいて、現在放送中又は所定時間内に放送予定のお勧め番組を特定する番組推薦手段と、番組推薦手段からの情報に基づいて、お勧め番組のチャンネル及び視聴中番組のチャンネルの２画面表示を行う画面表示手段とを具備することを特徴とする。【選択図】図３
2005192062.tif 000002
【特許請求の範囲】
【請求項１】
番組情報を蓄積する番組情報蓄積手段と、視聴中番組の番組情報を取得する視聴情報取得手段と、前記番組情報蓄積手段からの番組情報、前記視聴情報取得手段からの視聴中番組の番組情報及び所定のお勧め基準に基づいて、現在放送中又は所定時間内に放送予定のお勧め番組を特定する番組推薦手段と、前記番組推薦手段からの情報に基づいて、前記お勧め番組のチャンネル及び前記視聴中番組のチャンネルの２画面表示を行う画面表示手段とを具備することを特徴とする映像受信装置。
【請求項２】
前記番組推薦手段は、前記お勧め番組のチャンネルが前記視聴中番組のチャンネルと一致するか否かを判断し、前記画面表示手段は、前記お勧め番組のチャンネルが前記視聴中番組のチャンネルと一致しない場合のみ２画面表示を行うことを特徴とする請求項１記載の映像受信装置。
【請求項３】
ユーザー入力を受け付けるユーザー入力手段を更に有し、前記画面表示手段は、前記ユーザー入力手段からの入力情報に基づいて、前記お勧め番組のチャンネル又は前記視聴中番組のチャンネルの１画面表示に切り替えることを特徴とする請求項１又は請求項２記載の映像受信装置。
【請求項４】
番組情報を蓄積するステップと、視聴中番組の番組情報を取得するステップと、前記蓄積された番組情報、前記視聴中番組の番組情報及び所定のお勧め基準に基づいて、現在放送中又は所定時間内に放送予定のお勧め番組を特定するステップと、前記特定されたお勧め番組のチャンネル及び前記視聴中番組のチャンネルの２画面表示を行うステップとを具備することを特徴とする番組推薦方法。
【請求項５】
番組情報を蓄積するステップと、視聴中番組の番組情報を取得するステップと、前記蓄積された番組情報、前記視聴中番組の番組情報及び所定のお勧め基準に基づいて、現在放送中又は所定時間内に放送予定のお勧め番組を特定するステップと、前記お勧め番組のチャンネルが前記視聴中番組のチャンネルに一致しない場合に、前記特定されたお勧め番組のチャンネル及び前記視聴中番組のチャンネルの２画面表示を行うステップとを具備することを特徴とする番組推薦方法。
【請求項６】
ユーザー入力に基づいて、前記２画面表示から、前記お勧め番組のチャンネル又は前記視聴中番組のチャンネルの１画面表示に切り替えるステップを更に有することを特徴とする請求項４又は請求項５記載の番組推薦方法。
【発明の詳細な説明】
【技術分野】
【０００１】
本発明は、電子番組表の番組情報を蓄積し、ユーザーの視聴履歴情報や嗜好情報を基にユーザーにお勧めの番組を提供する番組推薦機能を搭載した映像受信装置及び番組推薦方法に関する。
【背景技術】
【０００２】
従来、電子番組表の番組情報を蓄積可能な映像受信装置において、ユーザーの「視聴した番組」や「好んで視聴する傾向のある番組」等の情報を基に、番組推薦処理を行い、お勧め番組の結果表示や自動録画を行う等の機能を提供する映像受信装置が実現されている（例えば、特許文献１参照）。
【特許文献１】特開平１０−２５７４０５号公報
【発明の開示】
【発明が解決しようとする課題】
【０００３】
しかしながら、上記従来の映像受信装置では、番組を視聴中に別のチャンネルでお勧め番組が開始されたときに、分かりやすく効果的にユーザーに通知する必要があった。
【０００４】
そこで、番組を視聴中に別のチャンネルでお勧め番組が開始したときにユーザーにお勧め番組を通知する方法として、番組名や開始時間、チャンネル名等を記載したメッセージによりお勧め番組の開始を通知する方法が考えられる。
【０００５】
しかしながら、上記通知方法では、通知されたお勧め番組が本当にユーザーの好みに合致しているか否かを判断するには、ユーザーが実際にお勧め番組が放送されているチャンネルを選局し視聴してみなければならず手間がかかるという問題があった。
【０００６】
本発明は、上記事情に鑑みて成されたもので、番組を視聴中に別のチャンネルでお勧め番組が開始されたときに自動的に２画面表示を行い、２画面表示された番組のうちユーザーが選択した番組を１画面で視聴可能な映像受信装置及び番組推薦方法を提供することを目的とする。
【課題を解決するための手段】
【０００７】
本発明の請求項１に係る映像受信装置は、番組情報を蓄積する番組情報蓄積手段と、視聴中番組の番組情報を取得する視聴情報取得手段と、番組情報蓄積手段からの番組情報、視聴情報取得手段からの視聴中番組の番組情報及び所定のお勧め基準に基づいて、現在放送中又は所定時間内に放送予定のお勧め番組を特定する番組推薦手段と、番組推薦手段からの情報に基づいて、お勧め番組のチャンネル及び視聴中番組のチャンネルの２画面表示を行う画面表示手段とを具備することを特徴とする。
【０００８】
また、本発明の請求項２に係る映像受信装置は、請求項１の構成において、番組推薦手段は、お勧め番組のチャンネルが視聴中番組のチャンネルと一致するか否かを判断し、画面表示手段は、お勧め番組のチャンネルが視聴中番組のチャンネルと一致しない場合のみ２画面表示を行うことを特徴とする。
【０００９】
また、本発明の請求項３に係る映像受信装置は、請求項１または請求項２の構成において、ユーザー入力を受け付けるユーザー入力手段を更に有し、画面表示手段は、ユーザー入力手段からの入力情報に基づいて、お勧め番組のチャンネル又は視聴中番組のチャンネルの１画面表示に切り替えることを特徴とする。
【００１０】
また、本発明の請求項４に係る番組推薦方法は、番組情報を蓄積するステップと、視聴中番組の番組情報を取得するステップと、蓄積された番組情報、視聴中番組の番組情報及び所定のお勧め基準に基づいて、現在放送中又は所定時間内に放送予定のお勧め番組を特定するステップと、特定されたお勧め番組のチャンネル及び視聴中番組のチャンネルの２画面表示を行うステップとを具備することを特徴とする。
【００１１】
また、本発明の請求項５に係る番組推薦方法は、番組情報を蓄積するステップと、視聴中番組の番組情報を取得するステップと、蓄積された番組情報、視聴中番組の番組情報及び所定のお勧め基準に基づいて、現在放送中又は所定時間内に放送予定のお勧め番組を特定するステップと、お勧め番組のチャンネルが視聴中番組のチャンネルに一致しない場合に、特定されたお勧め番組のチャンネル及び視聴中番組のチャンネルの２画面表示を行うステップとを具備することを特徴とする。
【００１２】
また、本発明の請求項６に係る番組推薦方法は、請求項４または請求項５の構成において、ユーザー入力に基づいて、２画面表示から、お勧め番組のチャンネル又は視聴中番組のチャンネルの１画面表示に切り替えるステップを更に有することを特徴とする。
【発明の効果】
【００１３】
本発明の映像受信装置及び番組推薦方法によれば、番組を視聴中に別のチャンネルでお勧め番組が開始されたときに、分かりやすく効果的にユーザーに通知することが可能となる。
【発明を実施するための最良の形態】
【００１４】
（実施の形態１）
図１は、本発明の実施の形態１にかかる映像受信装置の構成を示すブロック図である。映像受信装置は、番組情報蓄積部１０１と、視聴情報取得部１０２と、番組推薦部１０３と、画面制御部１０４と、画面表示部１０５及びリモコン１０６から構成されており、お勧め番組開始時には２つのチューナ（図示せず）を用いて自動的に２画面表示を行い、ユーザーにお勧め番組の開始を通知する。
【００１５】
図２は、映像受信装置の動作を示すフローチャートであり、図３は画面表示部１０５の画面表示例である。以降、図１、図２及び図３を用いて映像受信装置のお勧め番組通知処理について説明する。
【００１６】
まず、番組情報蓄積部１０１と視聴情報取得部１０２の情報が番組推薦部１０３に入力される。番組推薦部１０３は、所定のお勧め基準（ユーザーの視聴履歴情報や嗜好情報）に則って、入力された番組情報と視聴情報を評価して、お勧め番組が現在放送中か否か、或いはお勧め番組が所定時間以内に開始されるか否かを判断する。
【００１７】
お勧め番組が現在放送中である、または所定時間以内に開始される場合（Ｓ２０１）、お勧め番組が放送されるチャンネルを視聴中か否かを判断し（Ｓ２０２）、お勧め番組が放送されるチャンネルを視聴中の場合は（Ｓ２０２でＮｏ）、そのままお勧め番組通知処理を終了し、お勧め番組の視聴に移行する。
【００１８】
一方、お勧め番組が放送されるチャンネル以外を視聴中の場合は（Ｓ２０２でＹｅｓ）、画面制御部１０４によって２画面処理を開始し（Ｓ２０３）、現在視聴中のチャンネルを左画面（親画面）３０１に、お勧め番組が放送されるチャンネルを右画面（子画面）３０２に表示した２画面表示に切り替えるとともに（Ｓ２０４）、お勧め番組開始を通知するメッセージ３０３と、現在視聴中の番組を視聴するか、お勧め番組を視聴するかをリモコン１０６で選択するためのリモコン操作ガイド３０４を表示する（Ｓ２０５）。
【００１９】
ユーザーがリモコン１０６でお勧め番組視聴を選択した場合、すなわち、「決定」キーを押下した場合は（Ｓ２０６でＹｅｓ）、画面制御部１０４は画面を２画面から１画面に切り替えると共に、チャンネルをお勧め番組が放送されているチャンネルに切り替えて（Ｓ２０７）、お勧め番組の視聴に移行する。
【００２０】
ユーザーがリモコン１０６で視聴中番組視聴を選択した場合、すなわち、「戻る」キーを押下した場合は（Ｓ２０６でＮｏ、Ｓ２０８でＹｅｓ）、画面制御部１０４は画面を２画面から１画面に切り替えると共に、チャンネルを視聴中の番組が放送されているチャンネルに戻し（Ｓ２０９）、現在視聴中のチャンネルでの視聴を続行する。
【００２１】
ここで、２画面表示された状態で、所定時間、ユーザーから何も操作がない場合は（Ｓ２０６でＮｏ、Ｓ２０８でＮｏ、Ｓ２１０でＹｅｓ）、自動的に画面制御部１０４は画面を２画面から１画面に切り替えると共に、チャンネルを視聴中の番組が放送されているチャンネルに戻し（Ｓ２０９）、現在視聴中のチャンネルでの視聴を続行する。
【産業上の利用可能性】
【００２２】
本発明の番組推薦機能を搭載した映像受信装置は、番組を視聴中に別のチャンネルでお勧め番組が開始されたときに、分かりやすく効果的にユーザーに通知することが可能であり、番組情報を蓄積し、ユーザーの視聴履歴情報や嗜好情報を基にユーザーにお勧めの番組を提供する映像受信装置に有用である。
【図面の簡単な説明】
【００２３】
【図１】本発明の実施の形態１に係る映像受信装置の構成を示すブロック図
【図２】同実施の形態に係る映像受信装置の動作を示すフローチャート
【図３】同実施の形態に係る画面表示部の画面表示例を示す図
【符号の説明】
【００２４】
１０１    番組情報蓄積部
１０２    視聴情報取得部
１０３    番組推薦部
１０４    画面制御部
１０５    画面表示部
１０６    リモコン
３０１    親画面
３０２    子画面
３０３    お勧め番組通知メッセージ
３０４    リモコン操作ガイド
【図１】
2005192062.tif 000003
【図２】
2005192062.tif 000004
【図３】
2005192062.tif 000005